(57)【特許請求の範囲】
【請求項１】
シャーシと、
周囲に位置決め壁を立設した鍵当接面を上面に有し、前記シャーシに回動自在に支持された複数のハンマーと、
前記位置決め壁にはめ込んだ状態で前記ハンマーの前記鍵当接面に貼り付けられたクッションと、
前記シャーシに回動自在に支持され、前記クッションを介して前記複数のハンマーの前記鍵当接面に上方から当接する複数の鍵と、
を備え、
前記ハンマーは、合成樹脂の成形品で構成されたハンマー本体を有し、
前記位置決め壁は、
前記ハンマー本体と一体に成形されており、
前後の壁部と、
前記鍵当接面の一方の側部に設けられ、前記前後の壁部の左右の一端から中央側へ互いに間隔を隔てて延びる前後の第１の側壁部と、
前記鍵当接面の他方の側部に設けられ、前記前後の第１の側壁部間の間隙に対向する第２の側壁部と、
によって構成されていることを特徴とする電子楽器の鍵盤装置。
【発明の詳細な説明】
【０００１】
【発明の属する技術分野】
本発明は、電子ピアノなどに用いられる電子楽器の鍵盤装置に関し、特に鍵と連動して回動するハンマーを備えるとともに、ハンマーの鍵当接面にクッションを取り付けた鍵盤装置に関する。
【０００２】
【従来の技術】
この種の鍵盤装置は、回動自在の複数の鍵と、鍵に連動して回動する複数のハンマーを備えている。通常の鍵盤装置では、鍵は樹脂成形品などで構成され、その下面には、ハンマーを押圧するためのアクチュエータ部が設けられている。一方、ハンマーは、アコースティックピアノと同様のタッチ重さを付与するためのものであり、樹脂成形品などから成る回動自在のハンマー本体と、ハンマーに重量を付与するためにハンマー本体に取り付けられた質量体を有している。ハンマー本体の上面の一部は平坦な鍵当接面になっており、鍵当接面に緩衝材から成るクッションが貼り付けられていて、このクッションを介して、鍵のアクチュエータ部がハンマーの鍵当接面に当接している。
【０００３】
この鍵盤装置では、押鍵時、鍵は下方に回動し、ハンマーは、その鍵当接面に当接する鍵のアクチュエータ部により押圧され、鍵と連動して回動することによって、タッチ重さを付与する。また、鍵当接面に取り付けたクッションによって、鍵がハンマーを押圧する際の衝撃が緩和されるとともに、両者の接触部であるアクチュエータ部および鍵当接面の摩耗などが抑制される。
【０００４】
【発明が解決しようとする課題】
しかし、上述した従来の鍵盤装置では、クッションが手作業で取り付けられるとともに、クッションの取付対象であるハンマーの鍵当接面が単純な平坦面として構成されているので、その位置決めを作業者が勘に頼って行わざるを得ない。このため、作業者が熟練していないと、クッションの位置決めに時間を要するとともに、そのような作業をすべてのハンマーに対して行わなければならないので、作業全体としてかなりの時間ロスが生じてしまう。同じ理由から、クッションが所定の取付位置からずれて不適切に取り付けられるおそれがある。さらに、クッションは鍵当接面に単純に貼り付けられているのに対し、クッションには鍵のアクチュエータ部が擦れるように当接するので、鍵盤装置の使用が進むにつれて、クッションの位置が次第にずれてしまい、最終的には鍵当接面から離脱するなどの不具合が生じる。
【０００５】
本発明は、このような課題を解決するためになされたものであり、ハンマーの鍵当接面に設けられるクッションの取付作業を、熟練を要することなく、効率良くかつ適切に行えるとともに、使用に伴うクッションの位置ずれや離脱を防止することができる電子楽器の鍵盤装置を提供することを目的とする。
【０００６】
【課題を解決するための手段】
この目的を達成するため、本発明の電子楽器の鍵盤装置は、シャーシと、周囲に位置決め壁を立設した鍵当接面を上面に有し、シャーシに回動自在に支持された複数のハンマーと、位置決め壁にはめ込んだ状態でハンマーの鍵当接面に貼り付けられたクッションと、シャーシに回動自在に支持され、クッションを介して複数のハンマーの鍵当接面に上方から当接する複数の鍵と、を備え、ハンマーは、合成樹脂の成形品で構成されたハンマー本体を有し、位置決め壁はハンマー本体と一体に成形されており、前後の壁部と、鍵当接面の一方の側部に設けられ、前後の壁部の左右の一端から中央側へ互いに間隔を隔てて延びる前後の第１の側壁部と、鍵当接面の他方の側部に設けられ、前後の第１の側壁部間の間隙に対向する第２の側壁部と、によって構成されていることを特徴とする。
【０００７】
この電子楽器の鍵盤装置では、クッションが、ハンマーの位置決め壁にはめ込んだ状態で鍵当接面に貼り付けられるので、クッションを位置決め壁にはめ込むだけで容易かつ適切に位置決めでき、したがって、熟練を要することなく、クッションの取付作業を効率良くかつ適切に行うことができる。また、鍵の当接により、クッションには、これを鍵当接面に沿って摺動させるような力が作用するが、クッションの変位がこれをはめ込んだ位置決め壁で拘束されるので、使用に伴うクッションの位置ずれや離脱を確実に防止することができる。
【０００９】
また、位置決め壁がハンマーのハンマー本体と一体に成形されるので、部品点数をまったく増やすことなく、したがって、コスト増を伴うことなく、上記のような作用を得ることができる。
【００１０】
【発明の実施の形態】
以下、図面を参照しながら、本発明の実施形態を詳細に説明する。図１および図２は、本発明の一実施形態による電子ピアノの鍵盤装置を示している。この鍵盤装置１は、８８鍵用のものであり、両図に示すように、シャーシ２と、シャーシ２に回動自在に取り付けられた白鍵３ａおよび黒鍵３ｂから成る８８個の鍵３（両図には白鍵３ａおよび黒鍵３ｂの各１個のみ図示）と、鍵３ごとにシャーシ２に回動自在に取り付けられた複数のハンマー４（両図に１個のみ図示）などを備えている。
【００１１】
シャーシ２は、中央の６個の中間シャーシ２ａ（図３に１個のみ図示）と、図４に示す最低音部用シャーシ２ｂと、図５に示す最高音部用シャーシ２ｃの、計８個のシャーシにより分割構成され、左右方向に並んだ状態で棚板５上に支持されている。
【００１２】
中間シャーシ２ａは、図３に示すように、Ｆ鍵からＥ鍵までの１オクターブ分、計１２個の鍵３（７個の白鍵３ａと５個の黒鍵３ｂ）およびハンマー４を支持するものであり、同じ寸法および形状を有し、同一の金型で成形されたＡＢＳ樹脂などの射出成形品で構成されている。最低音部用および最高音部用シャーシ２ｂ、２ｃは、図４および図５に示すように、中間シャーシ２ａの一部として構成されている。より具体的には、最低音部用シャーシ２ｂは、中間シャーシ２ａを切断線Ａ−Ａ’に沿って切断した右側の部分で構成されている。一方、最高音部用シャーシ２ｃは、中間シャーシ２ａを切断線Ｂ−Ｂ’に沿って切断した左側の部分で構成されている。
【００１３】
以上の計８個のシャーシ２は、図１に示すように、左右方向に延びる４本の連結バー６にねじ７で固定され、連結バー６上に左右方向に並んだ状態で連結されている。各連結バー６は、シャーシ２の左右方向の全体に渡る長さの細長い１本のアングル状のものであり、例えば鋼板の曲げ加工によって形成されている。また、前後方向に延びる補強用のリブ８がオクターブごとに配置され（図１に１個のみ図示）、連結バー６間にねじ９で固定されている。このリブ８は、例えば１枚の鋼板を金型を用いて曲げプレス加工することによって、形成されている。以上のように連結バー６で連結され、リブ８で補強されたシャーシ２は、前後の連結バー６を介して、ねじ１０で棚板５に固定されている。
【００１４】
シャーシ２には、後端部に鍵３を支持する鍵用軸孔１１が、中央部にハンマー４を支持するハンマー用軸穴１２が、さらに、前部およびハンマー用軸穴１２の前後には、ハンマー４が通過する第１〜第３ハンマー通過孔１３ａ〜１３ｃが、第１ハンマー通過孔１３ａの後ろ側には、鍵３のストッパ部１４が通過する鍵通過孔１５が、それぞれ鍵３ごとに形成されている。さらに、シャーシ２には、第１ハンマー通過孔１３ａの前側で各白鍵３ａに相当する位置に白鍵用ガイド１６ａが、鍵通過孔１５の後ろ側で各黒鍵３ｂに相当する位置に黒鍵用ガイド１６ｂが、それぞれ立設されている。
【００１５】
また、図１に示すように、シャーシ２には、鍵３およびハンマー４の回動を規制するために、鍵下限ストッパ１７、ハンマー過回動防止ストッパ１８、ハンマー下限ストッパ１９、およびハンマー上限ストッパ５２が設けられている。鍵下限ストッパ１７およびハンマー過回動防止ストッパ１８は、鍵通過孔１５と黒鍵用ガイド１６ｂの間の同じ位置に、シャーシ２を挟むようにしてシャーシ２の上面および下面にそれぞれ取り付けられている。また、ハンマー下限ストッパ１９は、前側の連結バー６の下端部に取り付けられ、ハンマー上限ストッパ５２は、白鍵用ガイド１６ａの後ろ側に位置して、シャーシ２の下面に取り付けられている。これらのストッパ１７〜１９、５２はいずれも、シャーシ２の左右方向の全体にわたる１本の帯状の緩衝材、例えば、表面にフェルトを貼り付けた発泡ウレタンなどで構成されている。
【００１６】
さらに、シャーシ２のハンマー用軸穴１２の後ろ側には、鍵３の押鍵情報を検出するための鍵スイッチ２０が設けられている。この鍵スイッチ２０は、シャーシ２にねじ止めされたプリント基板２１と、その上面に設けられたスイッチ本体２２とを備えている。スイッチ本体２２は、シャーシ２の第３ハンマー通過孔１３ｃに下方から臨んでおり、プリント基板２１を介して、電子ピアノの発音を制御する制御装置（図示せず）に接続されている。
【００１７】
鍵３（白鍵３ａおよび黒鍵３ｂ）は、例えばＡＳ樹脂の射出成形品で構成されており、両側壁３ｃ（図１に一方のみ図示）と天壁３ｄから成り、底面が開放している。鍵３の両側壁３ｃの後端部には、内方に突出する突起２３が形成されていて、この突起２３がシャーシ２の後端部の鍵用軸孔１１に係合することによって、鍵３がシャーシ２に回動自在に支持されている。また、鍵３の突起２３よりも前側の所定位置には、下面から突出するアクチュエータ部２９が形成されており、鍵３の前部には、両側壁３ｃから下方に延びるフック状のストッパ部１４が形成されている。
【００１８】
一方、ハンマー４は、前後方向に延びるハンマー本体２５と、ハンマー本体２５の前端部の左右両側に取り付けられた２枚の質量板２６（図１に片側のもののみ図示）とで構成されている。ハンマー本体２５は、ＡＢＳ樹脂の射出成形品などで構成され、図６に示すように、その後端部には両側方に突出するピン状の突起２７が形成されていて、この突起２７がシャーシ２のハンマー用軸穴１２に係合することによって、ハンマー４がシャーシ２に回動自在に支持されている。
【００１９】
ハンマー本体２５の突起２７よりも後ろ側の部分は、スイッチ押圧部２８を構成しており、このスイッチ押圧部２８の上面は矩形の平坦な鍵当接面５３になっていて、その周囲には位置決め壁５４が一体に立設されている。位置決め壁５４は、図６（ｄ）に示すように、前後の壁部５４ａ、５４ｂと、これらの左端から中央側へ互いに間隔を隔てて延びる前後の左壁部５４ｃ、５４ｃ（第１の側壁部）と、前後の左壁部５４ｃ、５４ｃ間の間隙に対向する右壁部５４ｄ（第２の側壁部）とから構成されている。
【００２０】
鍵当接面５３には、クッション５５が取り付けられている。このクッション５５は、図７に示すように、例えば、発泡ウレタンなどから成る緩衝材５５ａと、その表面に取り付けた滑性および耐摩耗性を有する表面材５５ｂとから成る２層構成を有し、鍵当接面５３とほぼ同じ寸法の矩形シート状にあらかじめ形成されている。そして、クッション５５は、図８に示すように、位置決め壁５４にはめ込まれ、位置決め壁５４よりも若干上方に突出した状態で、図示しない両面テープなどを用いて鍵当接面５３に貼り付けられている。以上のように構成されたハンマー４のスイッチ押圧部２８は、シャーシ２の第３ハンマー通過孔１３ｃに臨み、鍵スイッチ２０のスイッチ本体２２に上方から対向するとともに、その鍵当接面５３に、クッション５５を介して、鍵３のアクチュエータ部２９が上方から当接している。
【００２１】
また、ハンマー本体２５は、その中央部がシャーシ２の第２ハンマー通過孔１３ｂを上下に横切ってシャーシ２の下側を前方に延び、前部の左右の側面が質量板２６、２６を取り付けるための、上方に向かってテーパした取付面５６、５６になっていて、その前端にはストッパ部３０が前方に突出して形成されている。
【００２２】
一方、質量板２６は、ハンマー４にアコースティックピアノと同様のタッチ重さを付与するためのものであり、ハンマー本体２５よりも比重の大きな鋼板などで構成されている。図６（ｃ）に示すように、質量板２６は、白鍵用質量板２６ａと、これよりも高さの低い黒鍵用質量板２６ｂで構成されている。そして、質量板２６は、その位置決め用凹部５７とハンマー本体２５の取付面５６に形成した位置決め用突起５８との係合により位置決めされるとともに、質量板２６およびハンマー本体２５のリベット孔（図示せず）に通した前後のリベット５９によって、ハンマー本体２５の取付面５６に、質量板２６、２６間の間隔が上方に向かって狭くなる状態で取り付けられている。
【００２３】
以上の構成により、鍵３が押鍵されると、鍵３は、そのストッパ部１４がシャーシ２の鍵通過孔１５を通過しながら下方に回動するとともに、白鍵用ガイド１６ａまたは黒鍵用ガイド１６ｂにより、左右方向にぶれないように案内される。また、このときの鍵３の下限位置は、その下面が鍵下限ストッパ１７に当接することによって規制される（図２の状態）。
【００２４】
この鍵３の押鍵に伴い、ハンマー４は、スイッチ押圧部２８が、鍵当接面５３にクッション５５を介して当接する鍵３のアクチュエータ部２９で押圧されることによって、上方（図１の時計方向）に回動する。この場合、クッション５５は、その緩衝材５５ａにより、鍵３による押圧の際の衝撃を緩和し、また、その表面材５５ｂにより、アクチュエータ部２９および鍵当接面５３の摩耗を抑制するとともに、アクチュエータ部２９の鍵当接面５３上の滑らかな摺動を確保する。また、ハンマー４が回動する際、質量板２６は、シャーシ２の第１ハンマー通過孔１３ｃを通るとともに、白鍵用質量板２６ａの場合には、第１ハンマー通過孔１３ｃを越えて、白鍵３ａの両側壁３ｃ間に入り込むようになっている（図２参照）。
【００２５】
そして、ハンマー４が所定角度まで回動したときに、そのストッパ部３０がハンマー上限ストッパ５２に当接する（図２の状態）。鍵３の押鍵が弱打の場合には、ハンマー４の上限位置は、ハンマー上限ストッパ５２のみによって規制される。一方、鍵３が強打された場合には、ハンマー４は、ハンマー上限ストッパ５２を圧縮しながら上限位置を越えてさらに回動し、ハンマー過回動防止ストッパ１８に当接することによって、それ以上の回動を阻止される。
【００２６】
また、このハンマー４の回動に伴い、そのスイッチ押圧部２８が鍵スイッチ２０のスイッチ本体２２を押下し、オン動作させることによって、鍵３の押鍵情報が検出され、その検出結果に応じて、制御装置により電子ピアノの発音が制御される。
【００２７】
この状態から鍵３が離鍵されると、鍵３およびハンマー４はそれぞれの初期位置に復帰回動し、このときのハンマー４の下限位置は、ストッパ部３０がハンマー下限ストッパ１９に当接することによって規制され、鍵３の上限位置は、そのストッパ部１４がハンマー過回動防止ストッパ１８に当接することによって規制される（図１の状態）。すなわち、この例では、ハンマー過回動防止ストッパ１８は、鍵３の上限位置を規制する鍵上限ストッパとして兼用されている。
【００２８】
以上のように、本実施形態の鍵盤装置１によれば、クッション５５が、ハンマー４の位置決め壁５４にはめ込んだ状態で鍵当接面５３に貼り付けられるので、クッション５５を位置決め壁５４にはめ込むだけで容易かつ適切に位置決めでき、したがって、熟練を要することなく、クッション５５の取付作業を効率良くかつ適切に行うことができる。また、鍵３のアクチュエータ部２９の当接により、クッション５５には、これを鍵当接面５３に沿って摺動させるような力が作用するが、クッション５５の変位がこれをはめ込んだ位置決め壁５４で拘束されるので、使用に伴うクッション５５の位置ずれや離脱を確実に防止することができる。
【００２９】
また、位置決め壁５４がハンマー４のハンマー本体２５と一体に成形されるので、部品点数をまったく増やすことなく、したがって、コスト増を伴うことなく、上記のような効果を得ることができる。
【００３０】
なお、本発明は、説明した実施形態に限定されることなく、種々の態様で実施することができる。例えば、実施形態で示した各構成要素の材質などは、あくまで例示であり、本発明の趣旨の範囲内で適宜、変更することができる。また、実施形態は、本発明を電子ピアノに適用した例であるが、本発明は、これに限らず、シンセサイザなどの他のタイプの電子楽器に適用することも、もちろん可能である。
【００３１】
【発明の効果】
以上詳述したように、本発明の電子楽器の鍵盤装置は、ハンマーの鍵当接面に設けられるクッションの取付作業を、熟練を要することなく、効率良くかつ適切に行えるとともに、使用に伴うクッションの位置ずれや離脱を防止することができるなどの効果を有する。
【図面の簡単な説明】
【図１】本発明の一実施形態による電子ピアノの鍵盤装置の離鍵状態における側断面図である。
【図２】図１の鍵盤装置の押鍵状態における側断面図である。
【図３】中間シャーシの（ａ）平面図および（ｂ）側断面図である。
【図４】最低音部用シャーシの平面図である。
【図５】最高音部用シャーシの平面図である。
【図６】クッション取付前のハンマーの（ａ）平面図、（ｂ）前面図、（ｃ）側面図および（ｄ）部分拡大平面図である。
【図７】クッションの（ａ）平面図および（ｂ）側面図である。
【図８】クッション取付後のハンマーの（ａ）部分拡大平面図および（ｂ）部分拡大側面図である。
【符号の説明】
１  鍵盤装置
２  シャーシ
３  鍵
４  ハンマー
２５  ハンマー本体
５３  鍵当接面
５４  位置決め壁
５５  クッション
【図１】
0003643247.tif 000002
【図２】
0003643247.tif 000003
【図３】
0003643247.tif 000004
【図４】
0003643247.tif 000005
【図５】
0003643247.tif 000006
【図６】
0003643247.tif 000007
【図７】
0003643247.tif 000008
【図８】
0003643247.tif 000009